(57)【特許請求の範囲】
【請求項１】
各プレスロールのバレル表面に当接するか、あるいは、前記バレル表面に取り付けられたワイヤに当接するウェブトランスファー装置（６、７）を各プレスロール（１、２）ごとに備えた、ロールプレスに使用するためのドクター構造であって、
ウェブトランスファー装置（６、７）が、ロール（１、２）の長手方向に延びているとともにドクターブレード（８、９）を含む複数のドクター部分（１３）からなり、各ドクター部分（１３）は、モジュールシステムの一部として含まれ、
前記ウェブトランスファー装置は、プレスロールニップ（３）の上方に配置されてロール（１、２）の長手方向に延びている粗粉砕トラフ（５）によって支持されており、該粗粉砕トラフ（５）がビーム構造の形態を有している、
ことを特徴とするドクター構造。
【請求項２】
ドクター部分（１３）が、ドクター部分（１３）と粗粉砕トラフ（５）の各側面との間にあるピボットシャフト（１６）および調整可能な支持装置（１４）を介して粗粉砕トラフ（５）によって支持されることを特徴とする請求項１に記載のドクター構造。
【請求項３】
支持装置が、ボトルねじ（１４）の形態を有することを特徴とする請求項２に記載のドクター構造。
【請求項４】
支持装置（１４）が、ばね手段（２３、２４）からなり、ドクター部分を、各ロール（１、２）に近づくように、および／または、各ロール（１、２）から遠ざかるように、弾性によって付勢でき、あるいは、ロールに対して動くことのないドクター部分の固定位置を得ることができることを特徴とする請求項２に記載のドクター構造。
【請求項５】
懸架装置（２０）が、それぞれの対をなすドクター部分の境界において、粗粉砕トラフ（５）とドクター部分（１３）との間に配置され、前記懸架装置（２０）が、隣接するドクター部分（１３）同士をお互いに接続することを特徴とする請求項２から４のいずれか一項に記載のドクター構造。
【請求項６】
懸架装置（２０）が、ドクター部分の懸架位置を調整するための偏心ピボット手段によって、ドクター部分（１３）に旋回可能に接続されたことを特徴とする請求項５に記載のドクター構造。
【発明の詳細な説明】
【０００１】
本発明は、各ロールのバレル表面に当接する、あるいは、前記バレル表面に取り付けられたワイヤに当接するウェブトランスファー装置を各ロールごとに含むロールプレスのためのドクター構造に関する。
【０００２】
ロールプレスは、お互いに協働する２つのプレスロールを含み、これらの２つのプレスロールは、それらの間にプレスロールニップを規定する。これらのロールは、トラフ内に配置され、そのトラフの中へ、材料を含む懸濁液、例えば、パルプ懸濁液が送り込まれる。ロールは、透水性のバレル表面を有し、懸濁液は、過剰圧力の助けによって液体を前記表面から絞り出すことによって、脱水される。所望される最終的な材料の乾燥度まで懸濁液を脱水するのは、ロール間のニップにおいてなされる。プレスロールのバレル表面は、ロール本体に取り付けられた穴あき薄板からなる。十分に大きな脱水能力を得るには、穴の総開口面積は、大きいものでなければならないが、それと同時に、穴は、繊維が液体とともに穴から流れ出ないように、小さいものでなければならない。このために、ワイヤが、ロールのバレル表面に取り付けられてもよい。ロールニップの下流側には、ドクター構造が配置され、これは、脱水されたパルプウェブを、ロールから、あるいは、ロールに取り付けられたワイヤから剥ぎ取る役目をする。ドクター構造は、ウェブトランスファー装置を各ロールごとに含む。従来は、ウェブトランスファー装置は、ロールのバレル表面またはワイヤに当接するドクターブレードを含むドクタービームを備えていた。
【０００３】
本発明は、ドクタービームおよびドクターブレードにおいて発生する問題に対処しようとするものである。この問題は、ドクターブレードとワイヤ面とをお互いに離れた一定の距離に維持することであり、とりわけ、そのようなロールプレスがきわめて長いことによって発生する。可能な最大強度を得ようとして、ドクターブレードは、箱型構造にされていた。ビーム構造において温度差を有する様々なプレートと結合された箱型構造は、ドクターブレードを動かないように維持するのを不可能にする。その結果として、ドクターブレードは、パルプ中の繊維が移動するのを抑制するために、実際には、ロールに対してしっかりと動かないように配置されていた。ワイヤを含まない絞り出しの場合、この方法は、大体において、好結果が得られ、それによって、繊維の移動はより少ないものであった。しかしながら、ワイヤを取り付けられたロールの場合、ワイヤをバラバラに切断する危険性を伴うことなく、ドクターブレードをゼロ設定に調整することは不可能であった。
【０００４】
本発明の目的は、上述した問題を除去し、それによって、ドクターブレードをプレスロールに最適に当接させることである。この目的は、請求の範囲に記載された特徴を有する本発明によるドクター構造によって達成される。
【０００５】
以下、添付の図面を参照して、本発明をより詳細に説明する。
【０００６】
図１に示されるロールプレスは、２つのロール１および２を含み、これらのロールは、パルプから絞り出された水を流すために、穴あきバレルを含み、そして、おそらくはワイヤも含むかもしれない。前記ロール１および２の中のロール２は、横方向へ移動して、ロールニップ３の設定を調整することができる。パルプは、ロール１および２の間にあるニップ３へ押し上げられ、そこで、パルプは脱水され、そして、そのニップ３から粉砕スクリュー４へ押し上げられ、この粉砕スクリュー４は、粗粉砕トラフ５内に配置され、かつ、ロールと平行に延びる。粉砕スクリュー４は、パルプを破砕し、それを軸に沿ってプレスの外へ運び出す。ロール１と２は、それぞれ、ウェブトランスファー装置６と７を備える。ウェブトランスファー装置６および７は、モジュールシステムの一部をなすドクター部分１３からなる。ドクターブレード８および９が、各ドクター部分の最下部に提供され、各ロール表面またはワイヤ表面からパルプを掻き取る。
【０００７】
図２は、可動ロール２に属するドクター構造部分の拡大図である。それぞれのドクターブレード９は、クランプストリップ１０によってウェブトランスファー装置７に保持される。ウェブトランスファー装置、ドクターブレード、および、クランプストリップは、プレスの軸方向に沿って、モジュール１３に分割されていることが図３からよくわかる。ドクター部分１３は、支持体１４によって、粗粉砕トラフ５に保持され、この支持体１４は、図示された実施形態の場合、ボトルねじの形態を有する。図２および図３からわかるように、支持部材１４は、ドクター部分１３のそれぞれに提供される。それぞれの支持部材１４は、モジュール１３に固定されたアーム１５に旋回可能に取り付けられ、そして、そのアーム１５は、ピボットシャフト１６に旋回可能に取り付けられる。ドクター部分は、ピボットシャフト１６を軸にして旋回可能であるので、支持部材１４を縮めることによって、ドクターブレード８および９を、適切な力で、それらの各ロール表面１および２に押しつけることができる。可動ロール２に属するドクター構造部分は、それぞれの支持部材１４に作用する設定装置１９を含み、粗粉砕トラフ５に取り付けられる支持体の位置を変更する。これによって、個々のモジュールは、可動ロールに追従することができる。
【０００８】
さらに、２つのドクター部分１３の境界に提供された懸架装置２０が、図３に示され、それによって、部分１３の端と端を接続する。懸架は、図３ｂに示されるように、偏心ピン２１の助けによって軸をずらしてなされてもよく、あるいは、図３ｃに示されるように、偏心スリーブ２２の助けによって軸をずらしてなされてもよく、それによって、必要であれば、前記モジュールの懸架位置を調整することができる。
【０００９】
図４および図４ａは、支持体１４のさらに別の実施形態を示す。この実施形態の場合、ボトルねじの代わりに、例えば、スリーブ２４に収容された圧縮ばね２３を含むばね装置が使用される。設定ロッド２５が、スリーブ２４に接続され、設定ナット２６の位置によって決まる限度まで、ばね２３を図４ａにおいて下向きに付勢する。設定ロッド２５の上向きの移動は、止めねじ２７によって制限される。この構成によれば、異なる４通りのやり方で、ドクタービームの位置を設定することができる。設定ロッド２５が、止めねじ２７から離れている場合には、ばねによってロールに当接し、スリーブ２４が、トラフプレート２８、すなわち、ばねの支持面から離れている場合には、ドクタービームをロールから遠ざけることができる。また他方において、設定ロッド２５と止めねじ２７との間にまったく間隙がない場合には、ばねによってロールに当接することはなく、スリーブ２４とトラフプレート２８との間に間隙がまったくない場合には、ドクタービームが、ロールから遠ざかることはない。したがって、この構成によれば、支持部材１４は、４通りの中のどれか１つの方法で、言い換えれば、完全に弾性によって、すなわち、両方向の移動が許される方法、ロールに近づくような弾性によって、すなわち、ロールに近づくような移動だけが許される方法、ロールから遠ざかるような弾性によって、すなわち、ロールから遠ざかるような移動だけが許される方法、そして、完全に固定されることによって、すなわち、ロールに近づきあるいはロールから遠ざかるどちらの移動も許されない方法で、動作することができる。
【００１０】
さらに、以前からただ単にパルプを輸送するためにだけ使用されていた粗粉砕トラフは、本発明によれば、ドクター部分の基準点としても使用される。粗粉砕トラフは、ビーム構造の形態をもともと有しており、ドクター部分を懸架するためにトラフを付加的に使用するには、より強いサイドビームでトラフを補強しなければならない。したがって、トラフ５は、堅牢（リジッド）な箇所となり、ウェブの移送は、トラフ５から個々に懸架されるドクター部分によってなされる。また、モジュール構造によって、プレスの数が固有のパラメータであるお互いに異なる寸法を有するプレス同士で、このドクター構造を使用することができる。このように、ドクター部分は、簡単なものであり、かつ、単一プレートから構成されるので、従来の箱型構造に存在した温度の問題は、もはや発生しない。ドクター構造は、プレスに沿ってどのような長さを有してもよく、また、熱膨張を補償するために、お互いの隙間を提供しなくてもよい。モジュールからなるシステムは、それぞれのウェブトランスファー装置が、薄くはあるが、それにもかかわらず、強いものであり、そして、ロール本体とのより良好な幾何学的条件を提供することを意味する。すなわち、ロールに対するより良好な逃げ角を提供し、それによって、ドクターブレードの真下にパルプが詰まる危険性を減少させる。
【００１１】
本発明によるドクター構造は、どんなに長いプレスでも大きく改善する。以前から使用されているドクタービームは、プレストラフにしっかりと取り付けられた中央支持体を必要としていた。この構造は、中央支持体、すなわち、ドクタービームの中心に作用するトラフ圧力の結果としてプレストラフが外側へ撓み、それによって、ドクターブレードがロールの中へ貫通するのを防止するために、プレストラフをより堅牢に製造することを必要とした。この支持体は除去されてもよいので、プレストラフは、トラフの様々な外側への撓みを考慮して製作することができ、かつ、ドクターブレードのロールに対しての位置または姿勢によって制限されることがない。
【図面の簡単な説明】
【図１】  本発明によるドクター構造をロールニップの上方に備えたロールプレスの中央部分の断面図である。
【図２】  図１に示される部分の拡大図である。
【図３】  ウェブトランスファー装置をプレスの軸断面に沿って示す図である。
【図３ａ】  図３に示される部分の実施形態の拡大図である。
【図３ｂ】  図３に示される部分の他の実施形態の拡大図である。
【図３ｃ】  図３に示される部分の更に他の実施形態の拡大図である。
【図４】  本発明によるドクター構造の異なる実施形態の断面図である。
【図４ａ】  図４に示される部分の拡大図である。
【図１】
0004500924.tif 000002
【図２】
0004500924.tif 000003
【図３】
0004500924.tif 000004
【図３ａ】
0004500924.tif 000005
【図３ｂ】
0004500924.tif 000006
【図３ｃ】
0004500924.tif 000007
【図４】
0004500924.tif 000008
【図４ａ】
0004500924.tif 000009